(57)【特許請求の範囲】
【請求項１】
ピストンのオイルリング溝に装着され、平板で且つ環状の上下一対のサイドレールと、
前記上下一対のサイドレールの間に配置されるスペーサエキスパンダと、を備え、
前記スペーサエキスパンダは軸方向及び周方向に離間して周方向に交互に多数配置された上片及び下片と、互いに隣接する上片と下片とを連結する連結片と、前記上片及び前記下片の内周側端部に立設して形成され前記サイドレールを押圧するための耳部とを備えた組合せオイルリングにおいて、
前記上片の上面及び前記下片の下面の少なくとも一方の面の外周側端部に前記サイドレールと当接するサイドレール支持部が突設され、
前記サイドレール支持部は、前記サイドレールとの当接部から前記サイドレールに対して傾斜した傾斜面を備え、
前記当接部は前記傾斜面の上端又は下端に位置し、
前記上片の上面及び前記下片の下面には、径方向に延びる溝が形成され、
前記溝の外周側端部は、前記傾斜面によって閉塞されていることを特徴とする組合せオイルリング。
【請求項２】
請求項１に記載の組合せオイルリングにおいて、
前記耳部には、径方向に穿孔された貫通孔が形成されることを特徴とする組合せオイルリング。
【請求項３】
請求項２に記載の組合せオイルリングにおいて、
前記貫通孔は、前記溝と連通していることを特徴とする組合せオイルリング。
【発明の詳細な説明】
【技術分野】
【０００１】
本発明は、組合せオイルリングに関し、特に、上下一対のサイドレールと、それらの間に配置されるスペーサエキスパンダとを備えている３ピース構成の組合せオイルリングに関する。
【背景技術】
【０００２】
従来より、内燃機関のシリンダ内壁面に付着した余分なエンジンオイルを掻き落とし、適度な油膜を形成して内燃機関の運転に伴うピストンの焼き付きを防止するオイルリングが知られている。このようなオイルリングは種々の形態が知られており、例えば、下記の特許文献に記載されているように、上下一対のサイドレールと、それらの間に配置されたスペーサエキスパンダとを備え、スペーサエキスパンダは軸方向及び周方向に離間して周方向に交互に多数配置された上片及び下片と、隣接する上片及び下片とを連結する連結片と、上片と下片の内周側端部に起立形成され、サイドレールを押圧するための耳部が形成された組合せオイルリングが知られている。
【先行技術文献】
【特許文献】
【０００３】
【特許文献１】特開２０１１−１８５３８３号公報
【０００４】
また、組合せオイルリングは、上述したように内燃機関のシリンダ内壁面に付着した余分なエンジンオイルを掻き落とし、適度な油膜を形成してピストンの焼き付きを防止しているが、未燃焼カーボンや潤滑油燃焼生成物から生じたカーボンスラッジ等がスペーサエキスパンダとサイドレールとの間に堆積し、円滑なエンジンオイルの掻き落としを阻害するという問題を有していた。
【０００５】
この問題を解決するために、例えば特許文献１に記載された組合せオイルリングは、上片の上面と下片の下面の少なくとも一方の面に溝を形成し、該溝が連通する貫通孔が耳部に形成され、該溝及び貫通孔を通して掻き落としたエンジンオイルが流出すると共に、上辺又は下片の外周側端部に上辺の上面又は下片の下面よりも高さを有するサイドレール支持部を形成してサイドレールとスペーサエキスパンダの間に段差を設けて、スペーサエキスパンダとサイドレールとの間にカーボンスラッジが堆積することを防止している。
【発明の概要】
【発明が解決しようとする課題】
【０００６】
しかし、従来の組合せオイルリングは、上述したカーボンスラッジの堆積の防止をより効果的に行うために、サイドレール支持部の段差をより大きく形成したり、溝を深く形成するなどして対策を行っているが、特に、サイドレールとスペーサエキスパンダの間の隙間のうち最狭部や、サイドレールとスペーサエキスパンダが接する角部などに依然としてカーボンスラッジが堆積しやすく、長期間内燃機関を運転すると、次第にこれらの部位にカーボンスラッジが堆積してしまい、依然としてエンジンオイルの円滑な流出を阻害するという問題を有していた。
【０００７】
そこで、本発明は上記問題に鑑みてなされたものであり、長期間内燃機関を運転してもサイドレールとスペーサエキスパンダとの間にカーボンスラッジが堆積することのない組合せオイルリングを提供することを目的とする。
【課題を解決するための手段】
【０００８】
本発明に係る組合せオイルリングは、ピストンのオイルリング溝に装着され、平板で且つ環状の上下一対のサイドレールと、前記上下一対のサイドレールの間に配置されるスペーサエキスパンダと、を備え、前記スペーサエキスパンダは軸方向及び周方向に離間して周方向に交互に多数配置された上片及び下片と、互いに隣接する上片と下片とを連結する連結片と、前記上片及び前記下片の内周側端部に立設して形成され前記サイドレールを押圧するための耳部とを備えた組合せオイルリングにおいて、前記上片の上面及び前記下片の下面の少なくとも一方の面の外周側端部に前記サイドレールと当接するサイドレール支持部が突設され、前記サイドレール支持部は、前記サイドレールとの当接部から前記サイドレールに対して傾斜した傾斜面を備え、前記当接部は前記傾斜面の上端又は下端に位置し、前記上片の上面及び前記下片の下面には、径方向に延びる溝が形成され、前記溝の外周側端部は、前記傾斜面によって閉塞されていることを特徴とする。
【０００９】
また、本発明に係る組合せオイルリングにおいて、前記耳部には、径方向に穿孔された貫通孔が形成されると好適である。
【００１０】
また、本発明に係る組合せオイルリングにおいて、前記貫通孔は、前記溝と連通していると好適である。
【発明の効果】
【００１１】
本発明に係る組合せオイルリングは、サイドレール支持部は、サイドレールとの当接部からサイドレールに対して傾斜した傾斜面を備えているので、サイドレールとスペーサエキスパンダとの間にエンジンオイルが流通可能なスペースを形成でき、さらにサイドレール支持部のオイルを周方向に素早く排出することができ、サイドレールとスペーサエキスパンダとの間にカーボンスラッジが堆積することを防止することができる。
【００１２】
また、本発明に係る組合せオイルリングは、耳部に径方向へ穿孔された貫通孔が形成されているので、貫通孔からエンジンオイルを流出することで、サイドレールとスペーサエキスパンダとの間にカーボンスラッジの堆積を防止することができる。
【００１３】
また、本発明に係る組合せオイルリングは、貫通孔は上片の上面又は下片の下面の少なくとも一方の面に形成された径方向に延びる溝と連通しているので、サイドレールとスペーサエキスパンダの間の空間容積を大きく確保することができると共に、貫通孔から円滑にエンジンオイルを流出させ、カーボンスラッジの堆積を防止することができる。
【図面の簡単な説明】
【００１４】
【図１】本発明の実施形態に係る組合せオイルリングの一部分を示す斜視図。
【図２】本発明の実施形態に係る組合せオイルリングを組み付けた内燃機関のシリンダ軸方向に図１におけるＡ−Ａ部にて切断して示した要部断面図。
【図３】本発明の実施形態に係る組合せオイルリングを径方向から見た図。
【発明を実施するための形態】
【００１５】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１６】
図１は、本発明の実施形態に係る組合せオイルリングの一部分を示す斜視図であり、図２は、本発明の実施形態に係る組合せオイルリングを組み付けた内燃機関のシリンダ軸方向に図１におけるＡ−Ａ部にて切断して示した要部断面図であり、図３は、本発明の実施形態に係る組合せオイルリングを径方向から見た図である。
【００１７】
図２に示すように、本実施形態に係る組合せオイルリング１０は、内燃機関のピストン２の外周面に形成されたオイルリング溝３に組み付けられ、シリンダ１の内壁と摺接することで、シリンダ１の内壁に付着した余分なエンジンオイルを掻き落としてシリンダ１の内壁に適切な油膜を形成する部材である。
【００１８】
組合せオイルリング１０は、上下一対のサイドレール１１，１１と、この上下一対のサイドレール１１，１１の間に配置されるスペーサエキスパンダ１２とから構成されている。これらサイドレール１１，１１及びスペーサエキスパンダ１２は鋼等からなっておりサイドレール１１は、合口（図示せず）を備えた平板の環状リングとして構成されている。
【００１９】
図１に示すように、スペーサエキスパンダ１２は、鋼材を塑性加工して形成されており、軸方向に沿って凹凸形状（波形形状）となると共に、周方向に略円形状に構成されている。この軸方向の凹凸形状によって、軸方向の端部に上片１３及び下片１４が形成されている。即ち、スペーサエキスパンダ１２は、軸方向及び周方向に離間して周方向に交互に多数配置された上片１３及び下片１４を備えており、互いに隣接する上片１３と下片１４とは連結片１５によって連結されている。
【００２０】
また、図２に示すように、スペーサエキスパンダ１２の上片１３及び下片１４の内周側端部には、サイドレール１１，１１を外周側に押圧する耳部１６が立設して形成されている。さらに、耳部１６には、方向に沿って貫通孔１８が形成されている。
【００２１】
また、図１に示すように、スペーサエキスパンダ１２の上片１３及び下片１４の外周側端部には、サイドレール１１，１１と当接するように、軸方向に突設するサイドレール支持部１９が形成されている。
【００２２】
サイドレール支持部１９は、サイドレール１１に対して傾斜した傾斜面として形成されており、図３に示すように、サイドレール支持部１９は、サイドレール１１の当接部から傾斜して形成されている。このサイドレール支持部１９の傾斜によって、サイドレール１１とスペーサエキスパンダ１２との間にスペースを形成することができ、当該スペースをエンジンオイルが流通することで、サイドレール１１とスペーサエキスパンダ１２との間にカーボンスラッジが堆積することを防止している。尚、図３では、サイドレール支持部１９と溝１７の底の位置は、スペーサエキスパンダ１２の外周側には開口していない状態を記載したが、当該溝の底の位置はスペーサエキスパンダ１２の外周側に開口しても構わない。
【００２３】
また、上片１３の上面及び下片１４の下面には、径方向に延びる溝１７が形成されており、耳部１６に形成された貫通孔１８と溝１７とはピストンの内周側に連通している。これに対し、溝１７の外周側は、図３に示すように溝１７をサイドレール支持部１９が閉塞するように傾斜して形成されているので、外周側には連通していない。この構造によって、エンジンオイルを内周側へ向かって円滑に流すことで、外周側から内周側へエンジンオイルを流すことが可能となる。このようなサイドレール支持部１９による溝１７の端部を閉塞する構造では、溝１７の深さやサイドレール支持部１９の板厚を適宜調整することで実現することが可能であるが、サイドレール支持部１９の板厚は、例えば０．１５〜０．３５ｍｍ程度に構成すると好適である。
【００２４】
なお、溝１７は軸方向に沿った断面形状が、Ｖ形状に形成されており、本明細書において、Ｖ形状とは、互いに隣接する斜面が鋭角に交差する形状の他、互いに隣接する斜面を円弧で連続させた形状も含む。
【００２５】
スペーサエキスパンダ１２は、ピストン２のオイルリング溝３に組み付けられた状態で合口が突き合わされて周方向に縮められた状態で組み付けられている。したがって、スペーサエキスパンダ１２の張力によって径方向外方へ拡張力を生じるように組み付けられているので、上下のサイドレール１１，１１を上片１３，下片１４のサイドレール支持部１９，１９で軸方向に沿って上下に保持すると共に、耳部１６がサイドレール１１の内周面をそれぞれ押圧することによって、上下のサイドレール１１，１１の外周面をシリンダ１の内壁面に密着させている。
【００２６】
このように本実施形態に係る組合せオイルリング１０は、サイドレール支持部１９がサイドレール１１に対して傾斜した傾斜面として形成されているので、サイドレール１１とスペーサエキスパンダ１２との間にスペースを形成することができ、当該スペースをエンジンオイルが流通することで、サイドレール１１とスペーサエキスパンダ１２との間にカーボンスラッジが堆積することを防止している。
【００２７】
また、本実施形態に係る組合せオイルリング１０は、溝１７が軸方向の上方又は下方に凸となる略Ｖ字状に形成されているので、サイドレール１１とスペーサエキスパンダ１２の間の空間容積を大きく確保することができると共に、貫通孔１８から円滑にエンジンオイルを流出させ、カーボンスラッジの堆積を防止することができる。
【００２８】
また、本実施形態に係る組合せオイルリング１０は、耳部１６に径方向へ穿孔された貫通孔１８が形成されているので、貫通孔１８からエンジンオイルを流出することで、サイドレール１１とスペーサエキスパンダ１２との間にカーボンスラッジの堆積を防止することができる。
【００２９】
また、本実施形態に係る組合せオイルリング１０は、貫通孔１８が上片１３の上面又は下片１４の下面の少なくとも一方の面に形成された径方向に延びる溝１７と連通しているので、サイドレール１１とスペーサエキスパンダ１２の間の空間容積を大きく確保することができると共に、貫通孔１８から円滑にエンジンオイルを流出させ、カーボンスラッジの堆積を防止することができる。
【００３０】
また、上述した本実施形態に係る組合せオイルリング１０は、溝１７の断面形状をＶ形状に形成した場合について説明を行ったが、溝１７の断面形状はこれに限られず例えば断面Ｒ形状に形成しても構わない。その様な変更又は改良を加えた形態も本発明の技術的範囲に含まれうることが、特許請求の範囲の記載から明らかである。
【符号の説明】
【００３１】
１  シリンダ，    ２  ピストン，    ３  オイルリング溝，    １０  組合せオイルリング，    １１  サイドレール，    １２  スペーサエキスパンダ，    １３  上片，    １４  下片，    １５  連結片，    １６  耳部，    １７  溝，    １８  貫通孔，    １９  サイドレール支持部。
【図１】
0006556501.tif 000002
【図２】
0006556501.tif 000003
【図３】
0006556501.tif 000004